(57)【特許請求の範囲】
【請求項１】
ラダーチャートによるリレー回路の設計装置であって、
使用するリレーの型式と、そのリレーが有する接点数を対応させて予め記憶するリレー型式記憶手段と、
前記ラダーチャートの条件部で使用されているリレーの接点数を、リレー記号毎に対応させて集計する接点集計手段と、
前記ラダーチャートの操作部で使用されているリレーの型式、前記リレー型式記憶手段、そして前記接点集計手段に基づいて前記リレー回路を動作させるのに必要なリレー数を前記リレー記号毎に算出するリレー算出手段と、
前記リレー算出手段により算出したリレー数と、前記ラダーチャートに予め定義されていたリレー数を前記リレー記号毎に比較し、不足分を前記ラダーチャートの操作部に追加するリレー追加手段を備えたことを特徴とするリレー回路の設計装置。
【請求項２】
前記リレー追加手段は、リレーを追加されたラダーチャートの条件部及び操作部における追加分のリレー記号を、前記ラダーチャートに予め定義されていたリレー記号とは異なるものに変更することを特徴とする請求項１記載のリレー回路の設計装置。
【請求項３】
前記ラダーチャートは、少なくとも１ページで記載されており、前記リレー記号は、前記ラダーチャートの操作部における各リレーの記載されたページを表わしていることを特徴とする請求項２記載のリレー回路の設計装置。
【請求項４】
前記リレーを追加されたラダーチャートが、所定の１ページの行数より大きい場合、新たなページを追加して全体のリレー記号を改めて割り付けることを特徴とする請求項３記載のリレー回路の設計装置。
【発明の詳細な説明】
【０００１】
【発明の属する技術分野】
本発明は、リレー回路設計装置に関するものである。
【０００２】
【従来の技術】
従来、工場の生産設備等におけるリレー回路をラダーチャートによって設計する場合、設計者は対象となる設備の動作シーケンスを考慮しながらリレー回路を設計し、更に使用するリレーの規格／仕様に基づいてその回路で必要となるリレーの数量を決定していく。近年では、電気回路用のＣＡＤ装置によりリレー回路の設計図自体は柔軟に行なうことができる。
【０００３】
【発明が解決しようとする課題】
しかしながら、上記従来例において実際に必要となるリレーの数量を把握するには、動作シーケンスを記述したリレー回路の設計図面からリレー毎の接点の拾い出しを設計者自身が行なわなければならなかった。この設計図面は、一般的にかなりのページ数に及ぶため、拾い出しに必要な工数が問題となっている。またこの場合、接点数の集計違いによるリレー回路の設計ミスは発見するのが難しいため、実際の現場での製作工事の段階で表面化することが多く、その訂正のための再設計、部材の再手配、追加工事、工期変更等の２次的な工数、コストが問題となる。
【０００４】
そこで本発明は、データの補正が容易なリレー回路設計装置の提供を目的とする。
【０００５】
【課題を解決するための手段】
上記の目的を達成するための本発明の構成として、リレー回路の設計装置は以下の特徴を備える。
【０００６】
すなわち、ラダーチャートによるリレー回路の設計装置であって、
使用するリレーの型式と、そのリレーが有する接点数を対応させて予め記憶するリレー型式記憶手段と、
前記ラダーチャートの条件部で使用されているリレーの接点数を、リレー記号毎に対応させて集計する接点集計手段と、
前記ラダーチャートの操作部で使用されているリレーの型式、前記リレー型式記憶手段、そして前記接点集計手段に基づいて前記リレー回路を動作させるのに必要なリレー数を前記リレー記号毎に算出するリレー算出手段と、
前記リレー算出手段により算出したリレー数と、前記ラダーチャートに予め定義されていたリレー数を前記リレー記号毎に比較し、不足分を前記ラダーチャートの操作部に追加するリレー追加手段を備えたことを特徴とする。
【０００７】
これによりシーケンス動作の設計を完了したラダーチャートに、実際に動作させるために必要なリレーを追加する。
【０００８】
更に前記リレー追加手段は、リレーを追加されたラダーチャートの条件部及び操作部における追加分のリレー記号を、前記ラダーチャートに予め定義されていたリレー記号とは異なるものに変更することを特徴とする。
【０００９】
これにより、図面上でのリレーの判別を容易にする。
【００１０】
更に前記ラダーチャートは、少なくとも１ページで記載されており、前記リレー記号は、前記ラダーチャートの操作部における各リレーの記載されたページを表わしていることを特徴とする。
【００１１】
これにより、図面上でのリレーの検索を容易にする。
【００１２】
更に前記リレーを追加されたラダーチャートが、所定の１ページの行数より大きい場合、新たなページを追加して全体のリレー記号を改めて割り付けることを特徴とする。
【００１３】
これにより、図面上でのリレーの記載を常に昇順に保つ。
【００１６】
【発明の実施の形態】
以下、本発明の一実施形態を図面を参照して説明する。
【００１７】
はじめに、リレー回路設計データの補正装置の構成を図１に示す。
【００１８】
図１は、本発明の一実施形態としてのリレー回路設計データの補正装置のブロック構成図である。
【００１９】
図中、１はＣＰＵ、２はＲＡＭ、３はＲＯＭ、４はＲＳ−２３２Ｃ等の通信インターフェース、５はキーボード、６はハードディスク等の外部記憶装置、７はＣＲＴ等の表示装置、８はプリンタである。これらは、内部バス９を介して接続されている。
【００２０】
次に、図２〜図７を参照して実際の動作を説明する。
【００２１】
設計者は、リレー回路を設計するに当り、まず対象としている設備のシーケンス動作を中心に考え、図２のリレー回路図を作成する。また、作成した設計データは、外部記憶装置６に記憶しておく。
【００２２】
図２は、本発明の一実施形態としての補正前のリレー回路図である。
【００２３】
このリレー回路図は、一般的な記述で表現されているので詳細な説明は省略するが、破線Ｘ−Ｘより右側が操作部であり、操作する対象のリレーである。また、左側が条件部であり、そのリレーを動作させる条件であるリレーの接点状態を表わす。また、それぞれの接点を結ぶラインによりＡＮＤ／ＯＲ回路を構成されている。
【００２４】
図中、「ＣＲ＊＊＊＊」（＊は数字）は、各リレーのリレー記号であり、＊＊＊＊の下２桁以外は、そのリレーが動作対象として記載されているページ数を表わす。「ＡＡ」、「ＢＢ」、「ＣＣ」は、それぞれリレーの型式を表わす。
【００２５】
また、外部記憶装置６には、リレー型式別の図３に示すテーブルが予め記憶されている。
【００２６】
図３は、本発明の一実施形態としてのリレー型式別のデータテーブルを示す図であり、項目にはリレー型式とそのリレーが持つ接点数がある。
【００２７】
次に、図２のリレー回路図を実際に使用できる図面に補正する。図２のＬ０４における操作する対象としてのリレーＣＲ１００１は、動作条件である接点として５箇所（すなわち、Ｌ０５−２番目、Ｌ０６−１番目、Ｌ０９−３番目、Ｌ１１−３番目、Ｌ１２−１番目）で使用されている。同様の検索をリレー回路全体に行なった結果を図４に示す。
【００２８】
図４は、本発明の一実施形態としてのリレー記号別のデータテーブルを示す図である。
【００２９】
次に図２及び図４において、リレーＣＲ１００１の型式は「ＡＡ」であり、図３において「ＡＡ」は２つの接点しか持たないことから、このリレー回路を実際に動作させるために必要はリレー数は３個となる。上述の処理をリレー回路全体に行なった結果を図５に示す。
【００３０】
図５は、本発明の一実施形態としてのリレー記号別のデータテーブルを示す図である（必要リレー数集計後）。
【００３１】
次に、図５の必要リレー数を参照し、図２のリレー回路に不足しているリレーを追加する。この場合リレーを追加すると１ページに収まらないため、追加した結果を図６及び図７に示す。
【００３２】
図６は、本発明の一実施形態としての補正後のリレー回路図である（Ｐ１０）。
【００３３】
図７は、本発明の一実施形態としての補正後のリレー回路図である（Ｐ１１）。
【００３４】
図中、操作する対象としてのリレーＣＲ１００１は３個で表わされるので追加した２つのリレー記号の末尾に識別子として「ａ」「ｂ」が付加されている。また、動作条件における５つのリレーＣＲ１００１の接点状態についても識別子が付加される。更に、図２におけるリレーＣＲ１００６は、回路図の表示スペースの関係で補正処理後は図７であるＰ１１に移動している。その際、リレー記号も変更されＣＲ１１０１及びＣＲ１１０１ａとなる。また、動作条件としてＣＲ１００６の接点状態を使用していた部分も同様にＣＲ１１０１及びＣＲ１１０１ａに変更される。
【００３５】
上述の一連の処理を図８のフローチャートに示す。
【００３６】
図８は、本発明の一実施形態としての補正処理を示すフローチャートである。
【００３７】
図中、予め外部記憶装置６に記憶しているラダーチャートのリレー毎の使用接点数を集計し（ステップＳ１）、その結果と予め外部記憶装置６に記憶しているリレー型式別のデータテーブルに基づいて、実際に必要なリレー数を集計する（ステップＳ２）。次に、ステップＳ３で使用者に補正の処理方法（自動／手動）を選択させる。自動であればラダーチャートに追加分のリレーを挿入し（ステップＳ４）、挿入後のデータが挿入前のデータのページに収まるかを判断する（ステップＳ５）。オーバーフローする場合は、あふれた部分を次ページとし、そのページ以降のページ調整を行なう（ステップＳ６）。そしてページ調整により、記載ページが変更されたリレーのリレー記号を更新し（ステップＳ７）、同様に条件部で利用されているリレーのリレー記号を変更し（ステップＳ８）、更に条件部のリレー記号のうち、ステップＳ４で追加したリレーとするものに識別子を付加する。また、ステップＳ５でページオーバーが無い場合は、ステップＳ９に進み識別子を付加する。
【００３８】
一方、ステップＳ３で手動補正が選択された場合は、表示装置７に追加が必要なリレーと、それによる識別子の付加が必要となる条件部を強調して（例えば、色を変更して）表示し（ステップＳ１５）、ステップＳ１６で使用者による補正データの入力を待つ。また、ここでは必要に応じ、ラダーチャートのプリンタ８への出力が行なえる。手動補正は、自動補正後の部分変更にも利用してもよい。
【００３９】
補正を終了したらステップＳ１０でそのデータを新たなラダーチャートとして外部記憶装置６に記憶して処理を終了する。
【００４０】
＜実施形態の効果＞
（１）リレー型式データとリレー記号データに基づいてリレー回路を補正することにより、設計工数の削減と接点数の計数ミスにより２次的に発生するトラブルフォローを防止できる。
（２）補正により追加したリレーを識別する識別子をリレー記号の末尾に付加したことにより、改造時や図面を参照しながらの現場での動作追跡の作業効率を向上させた。
（３）リレー記号の＊＊＊＊で下２桁以外は、そのリレーが動作対象として記載されているページ数としたことにより、改造時や図面を参照しながらの現場での動作追跡の作業効率を向上させた。
（４）補正後のリレー回路がページあふれを起こす場合に、そのページ以降のリレー記号の調整と、そのリレー記号を動作条件を表わす接点として使用するものを併せて調整したことにより、設計作業の効率を向上させた。
（５）手動補正の選択を可能としたことにより、装置に柔軟性を持たせた。
【００４１】
【発明の効果】
以上説明したように、本発明によれば、データの補正が容易なリレー回路設計装置の提供が実現する。
【００４２】
【図面の簡単な説明】
【図１】図１は、本発明の一実施形態としてのリレー回路設計データの補正装置のブロック構成図である。
【図２】本発明の一実施形態としての補正前のリレー回路図である。
【図３】図３は、本発明の一実施形態としてのリレー型式別のデータテーブルを示す図である。
【図４】本発明の一実施形態としてのリレー記号別のデータテーブルを示す図である。
【図５】本発明の一実施形態としてのリレー記号別のデータテーブルを示す図である（必要リレー数集計後）。
【図６】本発明の一実施形態としての補正後のリレー回路図である（Ｐ１０）。
【図７】図７は、本発明の一実施形態としての補正後のリレー回路図である（Ｐ１１）。
【図８】本発明の一実施形態としての補正処理を示すフローチャートである。
【符号の説明】
１  ＣＰＵ
２  ＲＡＭ
３  ＲＯＭ
４  通信インターフェース
５  キーボード
６  外部記憶装置
７  表示装置
８  プリンタ
９  内部バス
【図１】
0003702448.tif 000002
【図２】
0003702448.tif 000003
【図３】
0003702448.tif 000004
【図４】
0003702448.tif 000005
【図５】
0003702448.tif 000006
【図６】
0003702448.tif 000007
【図７】
0003702448.tif 000008
【図８】
0003702448.tif 000009